(57)【要約】【課題】電子装置において、簡素な構成で且つ他の装置に依存することなく、音響部品の出力信号または入力信号を反射させる。【解決手段】音響部品２が収容された筐体３を備える電子装置１において、筐体３に固定され、音響部品２から出力される出力信号例えば音声Ｓ、または、音響部品２に入力される入力信号例えば音声を反射させると共に、筐体３を支持する反射支持部材４を備える。【選択図】図４
2010147924.tif 000002
【特許請求の範囲】
【請求項１】
音響部品が収容された筐体を備える電子装置において、
前記筐体に固定され、前記音響部品から出力される出力信号または前記音響部品に入力される入力信号を反射させると共に前記筐体を支持する反射支持部材を備える、
ことを特徴とする電子装置。
【請求項２】
前記反射支持部材は、前記筐体に回動可能に固定されていることを特徴とする請求項１記載の電子装置。
【請求項３】
前記反射支持部材は、前記出力信号又は前記入力信号を反射させると共に前記筐体を支持する反射支持位置と、少なくとも一部が前記筐体に収容される収容位置とに移動することを特徴とする請求項１記載の電子装置。
【請求項４】
前記反射支持部材は、前記反射支持位置から折り畳まれて前記収容位置に移動することを特徴とする請求項３記載の電子装置。
【発明の詳細な説明】
【技術分野】
【０００１】
本発明は、音響部品を備える電子装置に関する。
【背景技術】
【０００２】
従来、携帯電話機やＰＤＡ（Personal Digital Assistant）などの携帯端末装置、ミュージックプレーヤ、パーソナルコンピュータ、携帯型テレビ、デジタルカメラ、ラジオ受信機、電子手帳等の電子装置においては、スピーカ、マイク、レシーバ等の音響部品が配置される。
【０００３】
しかしながら、近年の電子装置の小型化・高機能化の要求に伴い音響部品の配置スペースが制限され、例えば装置背面等の音質特性上好ましくない位置に音響部品を配置することがある。
【０００４】
そこで、電子装置の背面等に配置された音響部品からの音声を電子装置の正面側に反射させる種々の技術が開示されている（例えば、特許文献１〜３参照）。
上記特許文献１記載の電子機器は、表示部およびその反対面側に位置するスピーカを有する第１の筐体と、この第１の筐体に対し２７０度以上の角度で回動自在な第２の筐体と、この第２の筐体に配置された音響反射部とを備える。
【０００５】
上記特許文献２記載のスピーカは、背面側に向かうスピーカの開口部と、背面板側に着脱自在に枢着された反射板とを有する。
上記特許文献３記載の卓上ホルダは、正面に画像表示部が設けられその他の面にスピーカが設けられた携帯端末を保持すると共に、スピーカから発生して正面以外の方向に向かう音を正面方向に向かわせる方向変換手段を備える。
【特許文献１】特開２００６−２６１７５８号公報
【特許文献２】特開平２００３−２３６８６号公報
【特許文献３】特開２００５−１３６８９５号公報
【発明の開示】
【発明が解決しようとする課題】
【０００６】
しかしながら、上記特許文献１記載の電子機器および上記特許文献２記載のスピーカは、音響反射部・反射板を配置することで、部品点数が増加してしまう。
また、上記特許文献３記載の卓上ホルダは、携帯端末を卓上ホルダに保持させた状態でなければ携帯端末の音を反射させることができない。
【０００７】
本発明の課題は、上記従来の実情に鑑み、簡素な構成で且つ他の装置に依存することなく、音響部品の出力信号または入力信号を反射させることができる電子装置を提供することである。
【課題を解決するための手段】
【０００８】
この電子装置は、音響部品が収容された筐体を備える電子装置において、上記筐体に固定され、上記音響部品から出力される出力信号または上記音響部品に入力される入力信号を反射させると共に上記筐体を支持する反射支持部材を備えることを要件とする。
【発明の効果】
【０００９】
開示の電子装置によれば、簡素な構成で且つ他の装置に依存することなく、音響部品の出力信号または入力信号を反射させることができる。
【発明を実施するための最良の形態】
【００１０】
以下、本発明の実施の形態に係る電子装置について、図面を参照しながら説明する。
＜一実施の形態＞
図１は、本発明の一実施の形態に係る、表示部５を正面側に移動させた状態の電子装置１を前方から示す斜視図である。
【００１１】
図２は、表示部５を正面側に移動させた状態の電子装置１を後方から示す斜視図である。
図３は、図２のＡ−Ａ断面図である。
図４は、反射支持部材４により筐体３を支持した状態の電子装置１を示す図２のＡ−Ａ断面図である。
【００１２】
電子装置１は、図２〜図４に示す２つの音響部品２，２と、音響部品２，２が収容された筐体３と、音響部品２，２から出力される出力信号、例えば音声を反射させると共に筐体３を下方から支持する図２〜図４に示す２つの反射支持部材４，４と、筐体３に設けられた図１および図４に示す表示部５とを備える例えば携帯電話機である。
【００１３】
筐体３は、表示部５が設けられた可動部３ａと、例えばスピーカである音響部品２を収容すると共に図示しない操作部が設けられた固定部３ｂと、この固定部３ｂに対し回動軸Ａ１，Ａ２の２軸方向に回動自在に可動部３ａを軸支する本体ヒンジ部３ｃと、を有する。
【００１４】
なお、図１〜図４に示す状態の可動部３ａは、通話時の状態から、回動軸Ａ１を中心に１８０度回転し、更に、回動軸Ａ２を中心に約１８０度回転して折り畳まれた状態であり、音響部品２は筐体３の背面側に位置する。
【００１５】
図３および図４に示すように、各反射支持部材４は、筐体側ヒンジ部４ａと、第１のプレート４ｂと、第２のプレート４ｃと、これらプレート４ｂ、４ｃを接続するプレート用ヒンジ部４ｄとを有し、筐体側ヒンジ部４ａにおいて筐体３の固定部３ｂに固定されている。
【００１６】
第１のプレート４ｂおよび第２のプレート４ｃは、筐体側ヒンジ部４ａを介して筐体３に接続されているため、筐体３に対し回動自在となっている。また、第２のプレート４ｃは、プレート用ヒンジ部４ｄを介して第１のプレート４ｂに接続されているため、第１のプレート４ｂに対し回動自在となっている。
【００１７】
各反射支持部材４は、第１のプレート４ｂおよび第２のプレート４ｃが筐体３に収容される図３に示す収容位置（Ｐ１）と、第１のプレート４ｂおよび第２のプレート４ｃによって、音響部品２から発せられる音声Ｓを反射させると共に筐体３を支持する図４に示す反射支持位置（Ｐ２）とに移動する。
【００１８】
具体的には、収容位置（Ｐ１）における反射支持部材４は、第２のプレート４ｃがプレート用ヒンジ部４ｄを中心に第１のプレート４ｂと当接するまで折り畳まれた状態で、固定部３ｂに形成された収容凹部３ｄに第１のプレート４ｂおよび第２のプレート４ｃが収容されている。
【００１９】
なお、反射支持部材４は、収容位置（Ｐ１）において、筐体３のうち音響部品２と同一面に位置する。また、第１のプレート４ｂおよび第２のプレート４ｃには、収容位置（Ｐ１）において音響部品２に連通する貫通孔４ｅ，４ｆが形成されている。
【００２０】
反射支持位置（Ｐ２）における反射支持部材４は、収容位置（Ｐ１）から、第１のプレート４ｂおよび第２のプレート４ｃが筐体側ヒンジ部４ａを中心に回動し、更に、第２のプレート４ｃがプレート用ヒンジ部４ｄを中心に第１のプレート４ｂと直角をなすまで回動した状態である。この状態の反射支持部材４は、第２のプレート４ｃが地面に沿って水平に延び、第１のプレート４ｂが鉛直方向に延びることで、筐体３を下方から持ち上げた状態で支持している。
【００２１】
なお、筐体側ヒンジ部４ａは、例えば、偏心軸を有する偏心ヒンジ等とすることで、第１のプレート４ｂおよび第２のプレート４ｃが筐体３に対し所定の角度まで回動すると、その角度で保持されるように回動に抵抗を与えるとよい。同様に、プレート用ヒンジ部４ｄも、第２のプレート４ｃが第１のプレート４ｂに対し所定の角度まで回動すると、その角度で保持されるように回動に抵抗を与えるようにするとよい。筐体３の本体ヒンジ部３ｃについても同様である。
【００２２】
反射支持位置（Ｐ２）における反射支持部材４は、音響部品２から斜め下方に発せられる音声Ｓを第１のプレート４ｂにより斜め下方に反射させ、その反射された音声Ｓを第２のプレート４ｃにより斜め上方に反射させる。これにより、筐体３の可動部３ａに設けられた表示部５の表示方向（矢印Ｄ）と同一方向に音声Ｓが伝わる。なお、第１のプレート４ｂおよび第２のプレート４ｃは、音声Ｓの劣化を抑えるために、凹凸が少なく且つ反射率の優れた材料から構成するとよい。
【００２３】
以上説明した本実施の形態の電子装置１では、筐体３に固定された反射支持部材４は、音響部品２から出力される出力信号例えば音声Ｓを反射させると共に筐体３を支持する。よって、本実施の形態の電子装置１によれば、簡素な構成で且つ他の装置に依存することなく、音響部品２の出力信号を反射させることができる。
【００２４】
本実施の形態では、反射支持部材４は、筐体側ヒンジ部４ａを介して筐体３に回動可能に固定されている。更には、本実施の形態では、反射支持部材４は、音声Ｓを反射させると共に筐体３を支持する反射支持位置（Ｐ２）と、筐体３に収容される収容位置（Ｐ１）とに移動する。これらにより、電子装置１をコンパクトにすることができる。
【００２５】
本実施の形態では、反射支持部材４は、反射支持位置（Ｐ２）から折り畳まれて収容位置（Ｐ１）に移動する。更には、反射支持部材４は、音響部品２から発せられる音声を反射させると共に筐体３を支持する第１のプレート４ｂおよび第２のプレート４ｃを有し、これら第１のプレート４ｂおよび第２のプレート４ｃは、筐体３に対し回動自在で且つ互いに回動自在である。これらにより、収容位置（Ｐ１）における反射支持部材４をコンパクトにすることができ、したがって、電子装置１を簡素な構成にすることができる。
【００２６】
本実施の形態では、反射支持部材４は、収容位置（Ｐ１）において、筐体３のうち音響部品２と同一面に位置する。そのため、収容位置（Ｐ１）における反射支持部材４が音響部品２の周囲に配置されるため、電子装置１を簡素にすることができる。
【００２７】
本実施の形態では、反射支持部材４には、収容位置（Ｐ１）において音響部品２に連通する貫通孔４ｅ，４ｆが形成されている。そのため、反射支持部材４が収容位置（Ｐ１）に位置する際にも、音響部品２を使用することができる。
【００２８】
本実施の形態では、スピーカ２から発せられる出力信号、例えば音声Ｓを、反射支持部材４により表示部５の表示方向（矢印Ｄ）と略同一方向に反射させることで、出力信号をユーザに伝えやすくさせることができる。
【００２９】
本実施の形態では、音響部品２を、出力信号例えば音声Ｓを発するスピーカであると説明したが、音響部品２に、入力信号例えば音声が入力されるマイク、レシーバ等を用いることも可能である。その場合には、反射支持部材４は、外部からの入力信号を音響部品２に反射させることになる。
【００３０】
本実施の形態では、音響部品２が筐体３のうち表示部５の反対側の背面に位置する例について説明したが、音響部品２の配置スペースは、例えば、音響部品２の使用時における電子装置１の底面および上面や側面としてもよく、背面に限定されない。
【００３１】
本実施の形態では、可動部３ａ、固定部３ｂおよび本体ヒンジ部３ｃを有する筐体３を例に説明したが、筐体３は折り畳み式でないものを用いてもよい。
本実施の形態では、第１のプレート４ｂと第２のプレート４ｃとがプレート用ヒンジ部４ｄで接続され、反射支持部材４が折り畳み式であるものとして説明したが、反射支持部材４が折り畳み式でなくとも、例えば、反射支持部材４を筐体３に対し回動自在にすれば、筐体３を支持することが可能である。
【００３２】
本実施の形態では、収容位置（Ｐ１）における反射支持部材４が筐体３のうち音響部品２と同一面に位置するため電子装置１をコンパクトにすることができるが、収容位置（Ｐ１）における反射支持部材４が音響部品２と異なる面に位置するようにしてもよい。更には、反射支持部材４を音響部品２と同一の面で且つ収容位置（Ｐ１）において音響部品２を覆わない位置に配置してもよい。
【００３３】
本実施の形態では、収容位置（Ｐ１）における第１のプレート４ｂおよび第２のプレート４ｃの全部が筐体３に収容されているため反射支持部材４を非常にコンパクトにすることができるが、第１のプレート４ｂおよび第２のプレート４ｃの少なくとも一部が収容されていれば、反射支持部材４をコンパクトにすることは可能である。
【００３４】
本実施の形態では、音響部品２から発せられる音声Ｓが反射支持部材４により表示部５の表示方向（矢印Ｄ）と同一方向に反射される例について説明したが、音声Ｓの反射方向と表示部５の表示方向（矢印Ｄ）とが完全に同一でなくとも、例えば表示部５を見るユーザに音声Ｓを伝えやすくさせることは可能であるため、反射支持部材４による音声Ｓの反射方向は表示部５の表示方向（矢印Ｄ）に限定されない。
【００３５】
本実施の形態では、電子装置１として例えば携帯電話機であると説明したが、電子装置としては、スピーカ、マイク、レシーバ等の音響部品を備える装置であればよく、例えば、ＰＤＡ（Personal Digital Assistant）、ミュージックプレーヤ、パーソナルコンピュータ、携帯型テレビ、デジタルカメラ、ラジオ受信機、電子手帳等の他の電子装置を用いてもよい。
【００３６】
図５は、本発明の他の実施の形態に係る、電子装置１１を示す斜視図である。
図６は、反射支持部材１４により筐体１２を支持した状態の電子装置１１を示す斜視図である。
【００３７】
電子装置１１は、図６に示す２つの音響部品１２，１２と、これら音響部品１２，１２が収容された筐体１３と、音響部品１２，１２から出力される出力信号、例えば音声を反射させると共に筐体１３を支持する２つの反射支持部材１４，１４と、表示部１５とを備える。
【００３８】
筐体１３の正面には、表示部１５が設けられている。図６に示すように、筐体１３の両
側面下部には、例えばスピーカである音響部品１２，１２が内蔵されている。また、筐体１３の両側面下部には、反射支持部材１４，１４を収容する収容凹部１３ａ（図６の左側は図示せず）が形成されている。収容凹部１３ａの中央には、音響部品１２に連通する貫通孔１３ｂが形成されている。
【００３９】
各反射支持部材１４は、プレート１４ａと、筐体１３に固定されプレート１４ａを回動自在に軸支するヒンジ部１４ｂとを有する。プレート１４ａの中央には、貫通孔１４ｃが形成されている。
【００４０】
各反射支持部材１４は、筐体１３に収容される図５に示す収容位置（Ｐ１）と、音響部品１２から発せられる音声Ｓを反射させると共に筐体１３を支持する図６に示す反射支持位置（Ｐ２）とに移動する。
【００４１】
具体的には、収容位置（Ｐ１）における反射支持部材１４は、プレート１４ａが筐体１３の収容凹部１３ａに収容されている。なお、反射支持部材１４は、収容位置（Ｐ１）において、筐体１３のうち音響部品１２と同一面、即ち側面に位置する。また、プレート１４ａの貫通孔１４ｃは、収容位置（Ｐ１）において、筐体１３の貫通孔１３ｂおよび音響部品１２に連通している。
【００４２】
反射支持位置（Ｐ２）における反射支持部材１４は、プレート１４ａがヒンジ部１４ｂを中心に回動した状態である。この状態では、プレート１４ａの底面が地面に接することで、筐体３を支持している。
【００４３】
ヒンジ部１４ｂは、例えば、偏心軸を有する偏心ヒンジ等とすることで、プレート１４ａが筐体１３に対し所定の角度まで回動するとその角度で保持されるように回動に抵抗を与えるとよい。
【００４４】
反射支持位置（Ｐ２）における反射支持部材１４は、音響部品１２から水平に発せられる音声Ｓをプレート１４ａにより水平に反射させる。これにより、表示部１５の表示方向（矢印Ｄ）と同一方向に音声Ｓが伝わる。
【００４５】
以上説明した本実施の形態の電子装置１１では、上記一実施の形態と同様に、反射支持部材１４は、音響部品１２から発せられる出力信号例えば音声Ｓを反射させると共に筐体１３を支持する。よって、本実施の形態の電子装置１１によっても、簡素な構成で且つ他の装置に依存することなく、音響部品１２の出力信号を反射させることができる。
【００４６】
本実施の形態のように音響部品１２が筐体１３の側面に内蔵されていても、上記一実施の形態のように音響部品２が筐体３の背面に内蔵される場合と同様に、上記一実施の形態で述べた効果を得ることができる。
【００４７】
なお、本実施の形態では、音響部品１２を、出力信号、例えば音声Ｓを発するスピーカであると説明したが、入力信号例えば音声が入力されるマイク、レシーバ等を用いることも可能である。その場合には、反射支持部材１４は、外部からの入力信号を音響部品１２に反射させることになる。
【００４８】
本実施の形態では、音響部品１２から発せられる出力信号、例えば音声Ｓが反射支持部材１４により表示部１５の表示方向（矢印Ｄ）と同一方向に反射される例について説明したが、音声Ｓの反射方向と表示部１５の表示方向（矢印Ｄ）とが互いに同一でなくとも、表示部１５を見るユーザに音声Ｓを伝えやすくさせることは可能であるため、反射支持部材１４による音声Ｓの反射方向は表示部１５の表示方向（矢印Ｄ）に限定されない。
【００４９】
本実施の形態の反射支持部材１４は、プレート１４ａがヒンジ部１４ｂを中心に回動することで、収容位置（Ｐ１）と反射支持位置（Ｐ２）とに移動するが、例えば、筐体１３の背面から側方にスライドすることで反射支持位置（Ｐ２）に移動する反射支持部材を用いてもよい。
【００５０】
本実施の形態の電子装置１１としては、スピーカ、マイク、レシーバ等の音響部品を備える装置であればよく、例えば、携帯電話機、ＰＤＡ（Personal Digital Assistant）、ミュージックプレーヤ、パーソナルコンピュータ、携帯型テレビ、デジタルカメラ、ラジオ受信機、電子手帳等の電子装置を用いることができる。
【００５１】
以上説明した一実施の形態および他の実施の形態に関し、更に以下の付記を開示する。（付記１）
音響部品が収容された筐体を備える電子装置において、
前記筐体に固定され、前記音響部品から出力される出力信号または前記音響部品に入力される入力信号を反射させると共に前記筐体を支持する反射支持部材を備える、
ことを特徴とする電子装置。
（付記２）
前記反射支持部材は、前記筐体に回動可能に固定されていることを特徴とする付記１記載の電子装置。
（付記３）
前記反射支持部材は、前記出力信号または前記入力信号を反射させると共に前記筐体を支持する反射支持位置と、少なくとも一部が前記筐体に収容される収容位置とに移動することを特徴とする付記１記載の電子装置。
（付記４）
前記反射支持部材は、前記反射支持位置から折り畳まれて前記収容位置に移動することを特徴とする付記３記載の電子装置。
（付記５）
前記反射支持部材は、前記出力信号または前記入力信号を反射させると共に前記筐体を支持する第１のプレートおよび第２のプレートを有し、
該第１のプレートおよび第２のプレートは、前記筐体に対し回動自在で且つ互いに回動自在である、
ことを特徴とする付記４記載の電子装置。
（付記６）
前記反射支持部材は、前記収容位置において、前記筐体のうち前記音響部品と同一面に位置することを特徴とする付記３記載の電子装置。
（付記７）
前記反射支持部材には、前記収容位置において前記音響部品に連通する貫通孔が形成されていることを特徴とする付記６記載の電子装置。
（付記８）
表示部を更に備え、
前記音響部品は、前記出力信号を出力するスピーカであり、
前記反射支持部材は、前記スピーカから出力される出力信号を、前記表示部の表示方向と略同一方向に反射させる、
ことを特徴とする付記１記載の電子装置。
【図面の簡単な説明】
【００５２】
【図１】本発明の一実施の形態に係る、表示部を正面側に移動させた状態の電子装置を前方から示す概略斜視図である。
【図２】本発明の一実施の形態に係る、表示部を正面側に移動させた状態の電子装置を後方から示す概略斜視図である。
【図３】図２のＡ−Ａ断面図である。
【図４】本発明の一実施の形態に係る、反射支持部材により筐体を支持した状態の電子装置を示す図２のＡ−Ａ断面図である。
【図５】本発明の他の実施の形態に係る電子装置を示す斜視図である。
【図６】本発明の他の実施の形態に係る、反射支持部材により筐体を支持した状態の電子装置を示す斜視図である。
【符号の説明】
【００５３】
１      電子装置
２      音響部品
３      筐体
３ａ      可動部
３ｂ      固定部
３ｃ      本体ヒンジ部
３ｄ      収容凹部
４      反射支持部材
４ａ      筐体側ヒンジ部
４ｂ      第１のプレート
４ｃ      第２のプレート
４ｄ      プレート用ヒンジ部
４ｅ，４ｆ      貫通孔
５      表示部
１１      電子装置
１２      音響部品
１３      筐体
１３ａ      収容凹部
１３ｂ      貫通孔
１４      反射支持部材
１４ａ      プレート
１４ｂ      ヒンジ部
１４ｃ      貫通孔
１５      表示部
【図１】
2010147924.tif 000003
【図２】
2010147924.tif 000004
【図３】
2010147924.tif 000005
【図４】
2010147924.tif 000006
【図５】
2010147924.tif 000007
【図６】
2010147924.tif 000008